Podtech/llm-jp-corpus-v4-ja_patent huggingface dataset:
(57)【要約】      （修正有）【課題】今月のスケジュールと一日の時間割を連動して見ることができ、ルーズリーフ型のカレンダーを本体から取り外して育児記録として保存でき、時間軸のホワイトボードを、授乳や離乳食などを与えた時間をマグネットでマークすることにより、次の時間が分かり、与え忘れを防ぐことができる壁掛けタイプの育児記録カレンダー＆ホワイトボードを提供する。【解決手段】縦長の本体１の上段部には、上部に複数穴を開け、留め具３で綴じるルーズリーフ型の育児記録カレンダー２を、同様に上部に穴が開いた本体１に固定し、下段部には、のりで固定したホワイトボード４に、授乳や離乳食などを管理するための、１日２４時間を３０分単位の時間軸で表した表を作り、色や形で分けた母乳用１０個、ミルク用８個、離乳食用３個、おやつ用１個のマグネット５とイレーザー付ホワイトボードマーカー６を付属して、カレンダーとホワイトボードを一体化する。【選択図】図１
0003194077.tif 000002
【実用新案登録請求の範囲】
【請求項１】
上部に複数穴を開け、留め具で綴じるルーズリーフ型のカレンダーに、スケジュールや子どもの成長過程の様子を記録する。本体上部にも同様の穴が開いており、カレンダーが着脱できるので、取り外して育児記録として保存できる。0時から23時までを記した時間軸のホワイトボードに、授乳や離乳食などの時間を、色や形で分けた母乳用・ミルク用・離乳食用・おやつ用のマグネットでマークして与え忘れを防ぐ。本体にカレンダーとホワイトボードを一体化させることにより育児の情報管理がしやすく、且つ、壁に掛けることで家族と情報を共有できるところを特徴とする育児記録カレンダー＆ホワイトボード。
【考案の詳細な説明】
【技術分野】
【０００１】
本考案は、カレンダーとホワイトボードを一体化した、育児記録に関するものである。
【背景技術】
【０００２】
従来の育児記録は、冊子タイプが主流。子どものお祝い行事や予防接種や定期健診などのスケジュールを記録するもの、成長過程の様子を記録するもの、授乳や離乳食などの時間を記録するものと、2〜3冊程度を別々に保管していた。
【先行技術文献】
【非特許文献】
【０００３】
【非特許文献１】「2013年版  商品No.383  クレール3」,高橋書店,2013年
【非特許文献２】「meiji  育児Diary」,株式会社明治,p.48
【考案の概要】
【考案が解決しようとする課題】
【０００４】
出産後の女性は、体力、気力ともに消耗した状態で様々なことをこなさなければならない。課題の一つは、お宮参りや初節句など子どものお祝い行事や、予防接種（1歳6カ月までに定期・任意を合計22本接種）、3カ月ごとに受ける定期健診など予定が続き、スケジュールの調整が大変になることである。更に、定期健診では、母乳を飲む量や吸いつきの様子、音や光に対する反応、首のすわり具合、寝返りやおすわりの状態、はいはいや伝い歩きをするかなど事細かく成長過程の様子を聞かれるので、いつ頃のことだったのかも合わせて覚えておく必要がある。もう一つの課題は、乳児の生命線ともいえる授乳や離乳食の時間の管理である。個人差はあるが授乳の基本は、母乳は2時間おきに与え、月齢が上がるにつれ徐々に時間の間隔が広がる。ミルクの場合は消化吸収するために3時間以上空けないといけない。離乳食は1日1回食から始まり、最終的に3回食になる。与え忘れにより体重が減少したり、夏場や冬場には脱水症状の恐れもあるため管理が大切になる。これら全てを把握するため記録が必要になるが、冊子タイプはページ数に限りがあり、長い育児期間に対応しにくい。また、スケジュール用、成長記録用、授乳や離乳食用の数冊を別々に保管することは負担になる。更に、母親一人で管理することが多いため、家族は情報を把握できず協力しづらい。前述の欠点を解決しようとするものである。
【課題を解決するための手段】
【０００５】
本考案は、上部に複数穴を開け、留め具で綴じるルーズリーフ型のカレンダーに、スケジュールや子どもの成長過程の様子を記録する。0時から23時までを記した時間軸のホワイトボードに、授乳や離乳食などを与えた時間を、色や形で分けた母乳用・ミルク用・離乳食用・おやつ用のマグネットでマークする。本体にカレンダーとホワイトボードを一体化させ、且つ、壁に掛け家族と情報を共有することにより問題点を解決している。
【考案の効果】
【０００６】
本体にカレンダーとホワイトボードを一体化させることで、今月のスケジュールと一日の時間割を連動して見ることができ調整がしやすい。ルーズリーフ型のカレンダーは、本体から取り外して育児記録として保存できる。時間軸のホワイトボードは、授乳や離乳食などを与えた時間をマグネットでマークすることにより、次の時間が分かり、与え忘れを防ぐ。マグネットを一日単位で更新して繰り返し使えるのでページ数の心配がない。また、一日の終わりにマークしたマグネットを下段に戻すことで、昼夜区切りのない生活にメリハリがつく。「一日が終わった」と達成感を感じられ心理的効果も期待できる。更に、壁に掛けることでいつでも誰でも確認できる。例えば家族が代理で10時にミルクを与える場合、10時の欄にミルク用マグネットを配し、イレーザー付ホワイトボードマーカーでミルクの分量をメモしておくと分かりやすく伝わる。情報を共有することで家族が育児参加しやすい。
【図面の簡単な説明】
【０００７】
【図１】本考案の育児記録カレンダー＆ホワイトボードの正面図である。
【考案を実施するための形態】
【０００８】
本体の上段にカレンダー、下段にホワイトボードを配置。カレンダーは、上部に複数穴を開け、留め具で綴じるルーズリーフ型。本体上部にも同様の穴が開いており、カレンダーが着脱できる。1月から12月まであり、スケジュールや子どもの成長過程の様子を記録できるよう各日付の余白を多めにとる。また、お祝い行事の日にちを決める際に役立つので、六曜を掲載する。ホワイトボードは、のりで本体に固定する。0時から23時までの時間軸を12行2列で配し、30分は点線で表示。ホワイトボードに付属するマグネットは、母乳用10個・ミルク用8個・離乳食用3個・おやつ用1個を、色や形などで分ける。メモ用にイレーザー付ホワイトボードマーカー。本体は、上部両端に2箇所穴を開け紐を通し、壁に掛けることができるようにする。
【符号の説明】
【０００９】
1  本体
2  ルーズリーフ型カレンダー
3  留め具
4  時間軸ホワイトボード
5  マグネット
6  イレーザー付ホワイトボードマーカー
7  紐
【図１】
0003194077.tif 000003
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
縦長の本体の上段部には、上部に複数穴を開け、留め具で綴じるルーズリーフ型の育児記録カレンダーを、同様に上部に穴が開いた本体に固定し、下段部には、のりで固定したホワイトボードに、授乳や離乳食などを管理するための、1日24時間を30分単位の時間軸で表した表を作り、色や形で分けた母乳用10個、ミルク用8個、離乳食用3個、おやつ用1個のマグネットとイレーザー付ホワイトボードマーカーを付属した、カレンダーとホワイトボードが一体化したことを特徴とする壁掛けタイプの育児記録カレンダー＆ホワイトボード。
(57)【要約】      （修正有）【課題】保持部に放射状に取り付けられている線材が、使用するにつれて、円盤の厚さ方向に広がることがなく、かつ、屈曲することがないようにした円盤状の回転ブラシを提供する。【解決手段】軸部１の先端に備えさせた保持部５に線材７を放射状に取り付けてなる円盤状の回転ブラシにおいて、保持部５に放射状に取り付けた線材７全体を合成樹脂又はゴムの固形層９内に埋設する。固形層９の厚さは４ｍｍ以下である。【選択図】図１
0003194051.tif 000002
【実用新案登録請求の範囲】
【請求項１】
軸部の先端に備えさせた保持部に線材を放射状に取り付けてなる円盤状の回転ブラシにおいて、
前記保持部に放射状に取り付けた線材全体を合成樹脂又はゴムの固形層内に埋設したことを特徴とする回転ブラシ。
【請求項２】
前記固形層の厚さは４ｍｍ以下であることを特徴とする請求項１に記載の回転ブラシ。
【考案の詳細な説明】
【技術分野】
【０００１】
本考案は、回転ブラシに関するものであり、更に詳しくは、軸部を電動工具等の回転手段に取り付けて回転させることにより、自動車部品その他の機械部品等における狭い溝部の錆の除去作業、該溝部の研磨作業等に用いられる円盤状の回転ブラシに係るものである。
【背景技術】
【０００２】
このような回転ブラシとしては、軸部の先端に備えさせた保持部にワイヤ等の線材を放射状に取り付けてなる円盤状のもの（以下「従来の回転ブラシ」という。）が従来より使用されている。
【考案の概要】
【考案が解決しようとする課題】
【０００３】
しかるに、上記従来の回転ブラシにおいては、保持部に放射状に取り付けられている線材が、使用するにつれて、図５に示すように円盤の厚さ方向に広がり、該回転ブラシが狭い溝部に入らなくなるおそれがある。また、保持部に放射状に取り付けられている線材が、使用するにつれて、図６に示すように回転ブラシの回転方向（矢印参照）と反対方向に屈曲するおそれがある。
【０００４】
このような状況に鑑み、本考案は、保持部に放射状に取り付けられている線材が、使用するにつれて、円盤の厚さ方向に広がることがなく、かつ、屈曲することがないようにした円盤状の回転ブラシを提供しようとしてなされたものである。
【課題を解決するための手段】
【０００５】
上記課題を解決するために、本考案は下記の回転ブラシを提供する。
【０００６】
（１）軸部の先端に備えさせた保持部に線材を放射状に取り付けてなる円盤状の回転ブラシにおいて、
前記保持部に放射状に取り付けた線材全体を合成樹脂又はゴムの固形層内に埋設したことを特徴とする回転ブラシ（請求項１）。
【０００７】
（２）前記固形層の厚さは４ｍｍ以下である（請求項２）。
【考案の効果】
【０００８】
[請求項１の考案]
本考案においては、保持部に放射状に取り付けた線材全体を合成樹脂又はゴムの固形層内に埋設しているため、該線材は該固形層内において移動不能に該固形層と一体化する。したがって、回転ブラシを使用しても、線材が円盤の厚さ方向に広がることがない。すなわち、回転ブラシが自動車部品その他の機械部品等における狭い溝部に入らなくなるという問題は解消する。また、該線材が、使用するにつれて、屈曲するという問題も解消する。
【０００９】
[請求項２の考案]
自動車部品その他の機械部品等における溝部における一方の壁部と他方の壁部との間隔に対応させ、固形層の厚さは４ｍｍ以下とする。
【図面の簡単な説明】
【００１０】
【図１】図１は、本考案による回転ブラシの一例を示す斜視図である。
【図２】図２は、線材を合成樹脂又はゴムの固形層内に埋設した状態を示す断面図である。
【図３】図３は、線材を合成樹脂又はゴムの固形層内に埋設した状態を示す別の断面図である。
【図４】図４は、同上回転ブラシの一例を示す側面図である。
【図５】図５は、従来の回転ブラシにおいて、保持部に放射状に取り付けられている線材が円盤の厚さ方向に広がった状態を示す側面図である。
【図６】図６は、従来の回転ブラシにおいて、保持部に放射状に取り付けられている線材が屈曲した状態を示す正面図である。
【考案を実施するための形態】
【００１１】
符号１に示すものは回転ブラシの軸部である。軸部１を電動工具等の回転手段３に取り付けて回転させることにより、回転ブラシを回転させる。
【００１２】
軸部１の先端に保持部５備えさせ、該保持部５に多数本の線材７を放射状に取り付けて円盤状の回転ブラシを形成する。線材７は、例えば鉄、ステンレス鋼、真鍮等の金属により形成された金属線材であることが望ましい。
【００１３】
前記保持部５に放射状に取り付けた線材７全体を合成樹脂又はゴムの固形層９内に埋設する。固形層９は、例えばウレタン樹脂、ナイロン樹脂等の合成樹脂又はゴムにより形成する。
【００１４】
固形層９の厚さａ（図２）は、４ｍｍ以下であることが望ましい。この場合の固形層９の直径ｂ（図４）は３０〜５０ｍｍである。
【符号の説明】
【００１５】
１  軸部
３  回転手段
５  保持部
７  線材
９  固形層
【図１】
0003194051.tif 000003
【図２】
0003194051.tif 000004
【図３】
0003194051.tif 000005
【図４】
0003194051.tif 000006
【図５】
0003194051.tif 000007
【図６】
0003194051.tif 000008
(57)【要約】      （修正有）【課題】手芸材として編み作業、折り作業に適した紙バンドを提供する。【解決手段】紙バンド４は、紙テープ１を撚って紙紐２の複数本を接着剤を介し並接して紙バンド本体３を形成し、この紙バンド本体３に上下にプレス加工を施してなる。【選択図】図２
0003194053.tif 000002
【実用新案登録請求の範囲】
【請求項１】
紙テープを撚って紙紐の複数本を接着剤を介し並接して紙バンド本体を形成し、この紙バンド本体に上下にプレス加工を施してなる紙バンド。
【考案の詳細な説明】
【技術分野】
【０００１】
本考案は、主に手芸材料として使用するに便利な紙バンドに関する。
【背景技術】
【０００２】
紙バンドは当初梱包用に開発された素材であり、特に重包装に使用されていた為、強度が重要視されていたが、近年紙バンドは、カゴやバッグ作りなどの手芸材として使われるようになり、その色数については４０色以上も揃っており、カラフルで人気が高くなっている。しかし、素材そのものについては、梱包用に作られたものとは何ら変化はなく、特に厚みに関してはほぼ同様のものが今だに手芸用として使用されている。その為、長時間作業をしていると指先が痛くなったり年配の方や子供には力が掛かるなどの肉体的な苦痛が伴って作業が困難になるなどの欠点がある。
【考案の概要】
【考案が解決しようとする課題】
【０００３】
そこで本考案は、手芸材として編み作業、折り作業等に適した紙バンドに仕上げる事を目的とし、いわば手芸専用の紙バンドの開発を行ない、手芸作業における肉体的な苦痛の軽減を図ろうとするものである（もちろん梱包用としての使用もできる。）。
【課題を解決するための手段】
【０００４】
紙テープを撚って紙紐の複数本を接着剤を介し並接して紙バンド本体を形成し、この紙バンド本体に上下にプレス加工を施してなる紙バンドである。
【考案の効果】
【０００５】
本考案の効果として、紙バンド本体をプレス加工することによって、紙バンドは紙バンド本体の幅より広くなるのに対し、紙バンドの厚みは紙バンド本体より薄くなると同時に並接する紙紐の接触が点接触から面接触となることが多くなり（図３）、より強固な接着効果が得られ、構成される紙紐は不用意に解れたりすることが少なくなり、手芸作業などの激しい折り曲げ作業などにも十分耐えうる紙バンドとなる。又手芸作品としてのカゴやバッグなどの作品の軽量化が図られ、薄くなったとはいえ、紙バンドの幅については従来品とさほど変わらない為、出来上がったカゴやバッグの大きさはどちらもほぼ同じ大きさに仕上がり、重さは約２０％軽くなり、紙の使用量が従来に比べ約２０％減ることと、厚みがなくなった分巻寸法が小さくなる為、送料が安くなる等の面からコストダウンに繋がこととなる。
【０００６】
紙バンドが薄くなる事により、折り曲げの際に発生する反発力が軽減される為、従来品に比べ力が要らず、長時間の作業でも手が痛くなりにくい。更に年配者や子供でも容易に作品作りを楽しむ事が出来る。
【図面の簡単な説明】
【０００７】
【図１】本考案紙バンドを構成する紙バンド本体の断面説明図
【図２】本考案に係る紙バンドの断面説明図
【図３】紙バンドの部分拡大断面説明図
【実施例】
【０００８】
本案を図示の実施例により詳記すると、先ず紙テープ１の幅を凡そ１４〜１６ミリと狭くしたものを撚って極細の紙紐２，２…を構成し、この紙紐２，２…の１２本を接着剤を介して並接して凡そ１２〜１３ミリ幅、厚み０．９〜１．０ミリの紙バンド本体３とする。この紙バンド本体３をプレスすることにより、紙バンド本体３は幅方向に引き延ばされ、紙バンド４の幅は凡そ従前の紙バンド幅に近いものとなり、厚みは０．７〜０．９ミリ位いまで潰す。これによって本願の紙バンド幅は従前の紙バンド幅とほぼ同じくらいになり、厚さは２０％位迄潰すことができる。
尚従来の紙バンドは紙テープ幅が凡そ１８〜２０ミリで、これらを撚った紙紐を通常１２本並接し、この場合の紙バンド幅は凡そ１３．５〜１４．５ミリ、厚みは１．０〜１．２ミリとなる。
【０００９】
以上のようにすることにより手芸作品としてのカゴやバッグなどの作品の軽量化となり、薄くなったとはいえ、紙バンドの幅については従来品とさほど変わらない為、出来上がったカゴやバッグの大きさはどちらもほぼ同じ大きさに仕上がり、重さは約２０％軽くなる。
【００１０】
又コストダウンとなる。即ち紙の使用量が従来に比べ約20％減ることと、厚みがなくなった分巻寸法が小さくなる為、送料が安くなる他あらゆる面からコストダウンに繋がる。
【００１１】
編み込み・折り込みが楽にできる。紙バンドが薄くなる事により、折り曲げの際に発生する反発力が軽減される為、従来品に比べ力が要らず、長時間の作業でも手が痛くなりにくい。更に年配者や子供でも容易に作品作りを楽しむ事が出来る。
【符号の説明】
【００１２】
１：紙テープ
２、２：紙紐
３：紙バンド本体
４：紙バンド
【図１】
0003194053.tif 000003
【図２】
0003194053.tif 000004
【図３】
0003194053.tif 000005
(57)【要約】【課題】本考案は、ゲーム感覚でより視覚的に習得しようとする言語の会話を成立させることが出来る教材を提供することを目的とする。【解決手段】言語を習得する為の教材１は、所定の内容を示す内容表示１１aが複数種類配列され、マス目１１形状が形成されたシート１０と、表２１と裏２２にそれぞれ異なる意味を有する表示がされたチップ２０とを備え、回答者はマス目１１上の複数種類の内容表示１１aの中から質問１２に関連する内容表示１１aを選び、質問１２に対する回答としてチップ２０の表２１か裏２２かを決定し、チップ２０を決定した面を上にして選んだ内容表示１１aの上に置く。【選択図】図１
0003194622.tif 000002
【実用新案登録請求の範囲】
【請求項１】
言語を習得する為の教材であって、所定の内容を示す内容表示が複数種類配列され、マス目形状が形成されたシートと、表と裏にそれぞれ異なる意味を有する表示がされたチップとを備え、回答者はマス目上の複数種類の内容表示の中から質問に関連する内容表示を選び、質問に対する回答としてチップの表か裏かを決定し、チップを決定した面を上にして選んだ内容表示の上に置く教材。
【考案の詳細な説明】
【技術分野】
【０００１】
この発明は、言語を習得するための教材に関する。
【背景技術】
【０００２】
従来、学習の対象となる新出語を同じ形あるいはその応用形（派生語）で繰り返し提示して、新出語の記憶定着率を高める語学用学習教材が提案されている。
【先行技術文献】
【特許文献】
【０００３】
【特許文献１】特開２００５−２５１４１号公報
【考案の概要】
【考案が解決しようとする課題】
【０００４】
日本の言語教材は、殆どが書籍であり、本を開かないと勉強にならない。例えば、小・中・高の英語教育は、机上における書籍を使った学習が中心で会話をほとんどしないため、英語を口にすることがなかなか難しい。
本考案は、ゲーム感覚でより視覚的に習得しようとする言語の会話を成立させることが出来る教材を提供することを目的とする。
【課題を解決するための手段】
【０００５】
本考案は、言語を習得する為の教材であって、所定の内容を示す内容表示が複数種類配列され、マス目形状が形成されたシートと、表と裏にそれぞれ異なる意味を有する表示がされたチップとを備え、回答者はマス目上の複数種類の内容表示の中から質問に関連する内容表示を選び、質問に対する回答としてチップの表か裏かを決定し、チップを決定した面を上にして選んだ内容表示の上に置く教材
【０００６】
この教材を使い始めたら、ゲーム感覚で楽しみながら、習得しようとする言語の基礎会話の実力が、すぐにしっかり身につく。市販されている言語教材は殆どが書籍になっており、習得しようとする言語の会話練習を行う事が難しい。そのような教材より、本考案に係る教材によれば、マス目の中にある絵や写真に対して、表と裏にそれぞれ異なる意味を有する表示がされたチップを、質問に対する回答としてチップの表か裏かを決定し、チップを決定した面を上にして選んだ内容表示の上に置くことにより、ゲーム感覚でより視覚的に会話を進め、言語を理解し、すぐに習得しようとする言語の会話を成立させることが出来る。
【０００７】
会話力に自信がない人でも、この教材を使用することで、習得しようとする言語での会話をすぐに成立させることができ、自信を持つことが出来るようになる。
【０００８】
大人から子供まで、互いに質問する側答える側になることが出来るため、お互いを知るコミュニケーションとなる。学ぼうとする言語のあらゆる基礎会話パターンの質問と答えを実際に声に出してやり取りすることにより、学んでいる言語を気軽に使う事が出来るようになる。
【０００９】
この教材は、あらゆるジャンルに活用することが可能である。日本における英語教材のみならず、たとえば、その他の言語を他国で利用する教材とすることも可能である。一言語だけの教材のみならず、二か国語の教材としてもよい。
【考案の効果】
【００１０】
本考案は、マス目上の絵や写真、表と裏にそれぞれ違う色と文字か印刷されたコイン型チップを、何らかの判断に対して表もしくは裏にして置くことにより、より視覚的に言語を理解し、すぐに会話が成立させることが出来る教材を提供できる。
【図面の簡単な説明】
【００１１】
【図１】本考案の実施形態に係る教材を説明する図である。
【図２】本考案の実施形態の変形例に係る教材を説明する図である。
【考案を実施するための形態】
【００１２】
図１に示すように、本考案の実施形態に係る教材１は、言語を習得する為の教材であって、所定の内容を示す内容表示１１aが複数種類配列され、マス目１１形状が形成されたシート１０と、表２１と裏２２にそれぞれ異なる意味を有する表示がされたチップ２０とを備え、回答者はマス目１１上の複数種類の内容表示１１aの中から質問１２に関連する内容表示１１aを選び、質問１２に対する回答としてチップ２０の表２１か裏２２かを決定し、チップ２０を決定した面を上にして選んだ内容表示１１aの上に置き、会話を成立させることができる。
【００１３】
シート１０は、内容表示１１aが絵や写真である。これにより、学習者はこの絵や写真を見ながら会話を進めていくため、幼児から大人まで気軽に会話の学習を始めることができる。
【００１４】
チップ２０は、英語ならば表２１に「YES」と裏２２に「NO」が印刷されている。これにより学習者は、質問に対する回答として、「YES」か「NO」かを選び、選んだ面を上にして、内容表示１１aの上に置きながら、発声することで会話を成立させることが出来る。
【００１５】
また、チップ２０に英語ならば表２１に「True」裏２２に「False」と印刷されているものをつかって、質問が正しいか間違えているかによって、チップを置きながら答えることにより、会話を成立させることが出来る。
また、チップ２０は、複数種類のものを使用してもよい。例えば、表２１に「YES」裏２２に「NO」が印刷されたものと、表２１に「True」、裏２２に「False」が印刷されたものをともに併用し、学習者はこれらのチップ２０のうちから、質問の回答としてふさわしいチップ２０を選び、この選んだチップ２０の表２１か裏２２かを決定して、内容表示１１aの上に置き、会話を成立させることができる。
【００１６】
また、図２に示すように、本考案の実施形態の変形例に係る教材１Aは、シートが複数のマス目１１が示されたシート１０Aと、質問が示されたシート１０Bとに分かれている。
その他、本の形式など、どの様な形式であっても、所定の内容を示す内容表示１１Aが複数種類配列され、マス目１１形状が形成されたシート１０Aと、質問１２と、表２１と裏２２にそれぞれ異なる意味を有する表示がされたチップ２０とを備えていれば、ゲーム感覚ですぐに学んでいる言語の会話を成立させ、気軽に言語を使うことができるようになる。
【符号の説明】
【００１７】
１  教材
１０   シート
１１   マス目
１１a  内容表示 
１２    質問
２０    チップ
２１    表（チップの表面）
２２    裏（チップの裏面）
【図１】
0003194622.tif 000003
【図２】
0003194622.tif 000004
(57)【要約】      （修正有）【課題】屋根の除雪による転落事故や屋根下の巻き込まれによる圧雪事故を防ぐための屋根設置型の除雪装置を提供する。【解決手段】レール８と、レール上に搭載された除雪板に駆動力を伝達する駆動手段を備え、駆動手段は、電動手段と、手動手段を有し、それらを選択的に用いることを特徴とする。【選択図】図１
0003194625.tif 000002
【実用新案登録請求の範囲】
【請求項１】
レールと、前記レール上に搭載された除雪板に駆動力を前記除雪板に伝達する駆動手段を備え、
前記駆動手段は、電動手段と、手動手段を有し、前記電動手段と前記手動手段とを選択的に用いることを特徴とする屋根設置型の除雪装置。
【請求項２】
警報装置を更に備え、前記警報装置は、前記駆動装置の動作時、発行により警報を与えることを特徴とする請求項１に記載の屋根設置型の除雪装置。
【請求項３】
前記レール及び除雪板は、ＦＲＰ素材で構成されていることを特徴とする請求項１に記載の屋根設置型の除雪装置。
【考案の詳細な説明】
【技術分野】
【０００１】  本考案は、雪による屋根の除雪を円滑に行う為の除雪装置である。
【背景技術】
【０００２】  近年は、除雪時に人力による作業又は、電動式装置による電力のみを使用したものであり又、屋根の下に人がいた場合危険が残った。
【考案の概要】
【考案が解決しようとする課題】
【０００３】  従来より、屋根の雪降しによる転落事故で死亡や怪我が多発しており、人的作業を避ける必要がある。又、屋根の下で雪の落下に巻き込まれての圧迫事故も多発している為、尊い人命を守る為の装置である。
従来の案件は、ほぼ電動式であり、電力のみに頼った解決方法で、課題が残るものである。
【課題を解決するための手段】
【０００４】  本装置を屋根に設置する事により、人力による雪降し作業を廃止し、除雪器可動時に警告ランプ発光による警告で、周囲に除雪を伝える事で雪の下敷き事故を防ぐ。
尚、手動式ハンドル兼用により停電時にも除雪できるものである。
【考案の効果】
【０００５】  レール又は、除雪板にＦＲＰ素材を使用する事で軽量化を図り、強度を保つ事で通年使用が可能となる。更に、電力のみに頼らず作動出来る事により、停電時においても雪降しへの不安を無くす事が出来る。
【図面の簡単な説明】
【０００６】
【図１】本考案設置後の側面図である。
【図２】除雪板及びレールの断面図である。
【図３】延長レール内の支柱を表した図である。
【考案を実施するための形態】
【０００７】  図１のように切り妻屋根又は片流れ屋根に設置できるものであり、また図２のように除雪板を１８０ｃｍ毎に分割して取り付ける事で除雪板の強度を保ちながら運用する、又長い屋根の場合は図１−８を増設し、図３−２０を接続する事により、上方からの重力を軽減させ、図２−１４が通過する際にも支柱を左右に稼働させる事で円滑に作動させる事ができる。
【０００８】  屋根への積雪時に図１−１により動力を得る事により、図１−２〜５を動かし、図２−１３及び１４を上下稼働させる事で除雪する。
その際屋根への積雪は最大２０ｃｍ〜３０ｃｍとする。
【実施例２】
【０００９】  万が一停電が発生した場合は、図１−６のハンドルを図１−２へ取り付け回転させる事により除雪を行えるものである。
【産業上の利用可能性】
【００１０】  レール又は除雪板の素材がＦＲＰの素材で軽量である為、施設の大型屋根に対してもレール又は除雪板を増設する事で設置が可能である。
【符号の説明】
【００１１】  １．モーター
２．ギア
３．ギア
４．チェーン
５．ダブルチェーン
６．脱着式手動ハンドル
７．警告ランプ
８．レール
９．レール破風板固定金具
１０．モーター固定台
１１．モーターボックス
１２．破風板
１３．破風板
１４．除雪板移動器具
１５．ギア
１６．パイプ
１７．ローラー
１８．パイプ固定金具
１９．ローラー
２０．可動式支柱
【図１】
0003194625.tif 000003
【図２】
0003194625.tif 000004
【図３】
0003194625.tif 000005
(57)【要約】      （修正有）【課題】通電による経年劣化を抑制し、過電流による溶断及び遮断時に発生する筒体のひび、割れ、破裂等を防止できるヒューズを提供する。【解決手段】ヒューズ筒４と四角状の支持棒１０には磁器を用い、支持棒には、その両端に銅細線のリード線１ｂを所要長の間隔で巻付け固定し、さらに、この巻付け間隔間に銀細線のヒューズ線１ｃを支持棒にスパイラル状に巻付けて、その先端と末端部をはんだ１０で接合したヒューズ素子体１を形成し、このヒューズ素子体を、両端にカップ状の金属製キャップ２が嵌着可能な端子部を有し、中央部の外径を大きくした異形状の筒内に消弧剤５とともに収納した。【選択図】図３
0003194629.tif 000002
【実用新案登録請求の範囲】
【請求項１】
中空円筒状の耐熱性絶縁材の筒の両端に金属製端子部を有し、前記筒の内部に、ヒューズ素子体を粒状の消弧剤とともに充填してなる密閉形ヒューズにおいて、ヒューズ筒と四角状の支持棒には磁器を用い、前記支持棒にはその両端に銅細線のリード線を所要長の間隔で巻付け固定し、さらに、この巻付け間隔間に銀細線のヒューズ線を前記支持棒にスパイラル状に巻付けて、その先端と末端部をはんだで接合したヒューズ素子体を形成し、このヒューズ素子体を、両端にカップ状の金属製キャップが嵌着可能な端子部を有し、中央部の外径を大きくした異形状の筒内に消弧剤とともに収納したことを特徴とするヒューズ。
【考案の詳細な説明】
【技術分野】
【０００１】本考案は、車輌用関連の特に、路面電車等の電気系統の直流ヒューズの改良に関する。
【背景技術】
【０００２】従来より路面電車等で使用されている直流ヒューズは、図１に示すように、鉛を主体とした鉛棒（イ）を輪状にし、この両端に銅細線（ロ）を接合したヒューズ素子として用い、これを紙基材からなるファイバー筒（ハ）内に粒状の炭酸カルシウム（ニ）とともに充填して、前記ファイバー筒の両端に金属製キャップ（ホ）を被せ、これを釘（ヘ）で固定した構造のものが公知とされている。【０００３】この構造の直流ヒューズは、利点としてはヒューズ素子に溶融点の低い元素である鉛を用いていることから温度上昇がそれ程高くならない内に溶断、遮断ができることや、比較的小さな過電流通過に対して速断しな性能を持っており捨てがたい存在でもある。【０００４】しかしながら、時代背景を含め将来的見地からも次のような問題がある。
（１）ヒューズ素子に用いている化学元素である鉛自体、世界的にも環境面から有害物質として淘汰される方向にあることからこれを遵守しなくてはならないため将来的には使用不可物質である。
（２）筒の材質であるファイバーは、もともと紙基材であることから通電時及び溶断、遮断時にヒューズ素子から発生するジュール熱で筒の内面が炭化され易く、焦げたり、発火するという懸念があった。
また、耐候性能にも限界がある。例えば、湿度変化、温度変化による乾燥、吸湿の繰返しによるキャップとの接合部のガタ及びゆるみ等が生じ易い。
（３）消弧剤として充填の粒状の炭酸カルシウムも化学的特性から吸湿性が強い物質であることから絶縁性にも問題がある。
【考案の概要】
【考案が解決しようとする課題】
【０００５】本考案は、上述の（１）〜（３）のような従来技術の問題点を解消すべくなされたもので、ヒューズ筒内に耐熱性絶縁材の磁器と遮断特性の優れた銀細線からなるヒューズ素子と、さらに吸湿性のない硅砂からなる消弧剤を充填した密閉形ヒューズを構成することを目的とする。
【問題を解決するための手段】
【０００６】本考案は上記の目的を達成するために、ヒューズ筒と四角状の支持棒には磁器を用い、前記支持棒には、その両端に銅細線のリード線を所要長の間隔で巻付け固定し、さらに、この巻付け間隔間に銀細線のヒューズ線を支持棒にスパイラル状に巻付けて、その先端と末端部をはんだで接合したヒューズ素子体を形成し、このヒューズ素子体を、両端にカップ状の金属製キャップが嵌着可能な端子部を有し、中央部の外径を大きくした異形状の筒内に消弧剤とともに収納したヒューズを提供する。
【考案の効果】
【０００７】ヒューズ素子体の収納部が、磁器筒の中央部の外径を大きくした部分の位置になることから容積率も増加することで、従来より高電圧での遮断状況が良好となり、安全性が高くなる。
【図面の簡単な説明】
【０００８】
【図１】従来のヒューズの断面図
【図２】本考案のヒューズのヒューズ素子体の構成斜視図
【図３】本考案ヒューズの断面図
【考案を実施するための形態】
【０００９】ヒューズ筒中央部が両端より外径が大きいことで従来のヒューズホルダに適合できなくなるという懸念は一切無い。
【実施例】
【００１０】以下、本考案ヒューズの一実施例を図面により説明する。
図２は本考案品に使用されるヒューズ素子体の構成斜視図であり、この図に示す通り、四角状の支持棒１ａは磁器からなり、この長手方向の両端には、銅のリード線１ｂを巻付け間隔間を設けて固定するようにし、さらに、この間隔間に銀からなる細いヒューズ線１ｃをスパイラル状に巻付け、前記リード線１ｂの先端と末端部にはんだ１０でそれぞれ接合により構成のヒューズ素子体１を用いている。【００１１】図３は本考案のヒューズの断面図であるが、この図で示すように、左右の所要長の磁器筒の一端に黄銅の金属製キャップ２を嵌着した一対の第一の筒３を、この第一の筒３の外径部が嵌合できるような内径を有する所要全長と外径部を有する第二の筒４を組み合わせた状態の異形状筒を形成したものを用いている。【００１２】ヒューズ素子体１の左右のリード線１ｂは第一の筒３に嵌着の金属製キャップ２にそれぞれはんだ１０で接合される。
この状態では、意図的にヒューズ線１ｃは第二の筒４の部分、すなわち、容積の大きい箇所に収納されることから、遮断性能上に極めて有利になる。
この理由は、従来品ヒューズと本考案品ヒューズの第一の筒３と第二の筒４の内容積の比較では、前者をｄ１、後者をｄ２とすれば、ｄ１＜ｄ２（ｍｍ）で約２倍程度の容積率になることからも明白である。【００１３】本考案のヒューズの一実施例は、以上のような構成からなるものであり、本考案品が外形上において筒形状が異形にはなるが、全長、ヒューズ端子径等は従来品と同一寸法であることから既設のヒューズホルダに適合できるので互換性を有するものである。
【符号の説明】
【００１４】  １  ヒューズ素子体
２  金属製キャップ
３  第一の筒
４  第二の筒
１０  はんだ
【図１】
0003194629.tif 000003
【図２】
0003194629.tif 000004
【図３】
0003194629.tif 000005
(57)【要約】      （修正有）【課題】掃除用に使用するモップにおいて三面使用可能な三面モップを提供する。【解決手段】支軸２に拭き取り体１と柄３を設置し、支軸に三角体４を設け、三角体を止め具５で固定すると共に、拭き取り体を回転可能にした。【選択図】図３
0003194626.tif 000002
【実用新案登録請求の範囲】
【請求項１】
支軸に拭き取り体と柄を設置し、支軸に三角体を設け、三角体を止め具で固定し、拭き取り体を回転可能にしたことを特徴とする三面モップ。
【考案の詳細な説明】
【技術分野】
【０００１】  本考案は、掃除用に使用するモップで、三面を使用可能にした三面モップに関するものである。
【背景技術】
【０００２】  従来、モップは、一面使用で掃除していたため、汚れた雑巾布面で拭いていた。
【考案の概要】
【考案が解決しようとする課題】
【０００３】  そのために次のような問題があった。
（イ）モップの汚れた雑巾布の取り替えが面倒であった。
（ロ）一面使用のモップは、汚れを広げ清潔感に欠けることもあった。
本考案は、以上の問題点を解決するためになされたものである。
【課題を解決するための手段】
【０００４】  支軸（２）に拭き取り体（１）と柄（３）を設置し、支軸（２）に三角体（４）を設け、三角体（４）を止め具（５）で固定し、拭き取り体（１）を回転可能にしたことを特徴とする三面モップ。
【考案の効果】
【０００５】  汚れを広げることなく、清潔感を保ち、雑巾布を取り替える作業も省ける。
【図面の簡単な説明】
【０００６】
【図１】  本考案の斜視図である。
【図２】  本考案の使用状態を示した斜視図である。
【図３】  本考案の構造の説明図である。
【図４】  本考案を分解した状態を示した説明図である。
【考案を実施するための形態】
【０００７】  以下、本考案の実施の形態について説明する。
（イ）支軸（２）の底部に拭き取り体（１）を装着するため、中心部に穴を設けた三角体（４）を左右に並べ、その穴に支軸（２）の底部を通し、その末端が三角体（４）から抜けないように止め具（５）によって固定され、左右に並べた三角体（４）の三表面部を支軸（２）より長い三角筒の拭き取り体（１）で固定し支軸（２）の上部に柄（３）を装着する。
（ロ）別途用意する筒状の雑巾布（６）を拭き取り体（１）に着脱する。
本考案は以上のような構造である。
本考案を使用するときは、柄（３）に持ち、前後、左右、上下に移動させ、汚れ面を変える時は、拭き取り体（１）を回転させる。
【符号の説明】
【０００８】  １  拭き取り体  ２  支軸  ３  柄  ４  三角体  ５  止め具  ６  雑巾布
【図１】
0003194626.tif 000003
【図２】
0003194626.tif 000004
【図３】
0003194626.tif 000005
【図４】
0003194626.tif 000006
(57)【要約】      （修正有）【課題】冷たい飲料水等を入れたグラスをテーブルに置いたときにグラスから垂れる水滴でグラスの底やテーブルに水滴を付けないためのコースターを提供する。【解決手段】コースターを構成する上部耐水材２と下部耐水材５の間に水を吸収する吸収材４を挟み三層にし、上部耐水材に模様やイラスト、文字等の穴を開け、穴を開けた上部耐水材の上に冷たい飲料水等を入れたグラスを置いたときにグラスから垂れる水滴を模様等の穴から吸収材に吸収させる。【選択図】図２
0003194630.tif 000002
【実用新案登録請求の範囲】
【請求項１】
コースターを構成する上部耐水材と下部耐水材の間に水を吸収する吸収材を挟み込んだ三層構造のコースターで、上部耐水材に模様やイラスト、文字等の穴を開け、穴を開けた上部耐水材の上に冷たい飲料水等を入れたグラスを置いたときにグラスから垂れる水滴を模様やイラスト、文字等の穴から吸収材に吸収させることを特長としたコースター。
【考案の詳細な説明】
【技術分野】
【０００１】  本考案は冷たい飲料水等を入れたグラスの下に敷きグラスから垂れる水滴を吸収させるコースターに関する物である。
【背景技術】
【０００２】  一般的なコースターは水滴を吸収する紙製のコースターがあり、また木製、布製、樹脂性のものがあるが水滴は吸収できないものである。
又、特開２０１３−２１５３１８によると磁性体を吸引する性質の素材との間に、ティッシュを挟んで一体とした構造で、中央にグラスの底面より大きな穴を設けた上板を有した特許があるが、中央にグラスの底面より大きな穴を設けることによりティッシュペーパーがコースターの中央に見えるので体裁が悪く、またティッシュペーパーの上にグラスを直接置くのでグラスとティッシュペーパーが付きグラスを持ち上げるとティッシュペーパーがフワフワと浮き上がり体裁が悪く、また水滴を吸収する紙はティッシュペーパーに限定されている特許がある。
また、プラスチックの素材で、上皿と下皿を作りこの間に保冷パックを挟んだ三層構造としているコースターの考案がある。【０００３】
【先行技術文献】
【特許文献】
【０００４】
【特許文献１】特開２０１３−２１５３１８
【特許文献２】特開２０１３−０２２４４３
【特許文献３】特開２０１３−７８５５０
【考案の概要】
【考案が解決しようとする課題】
【０００５】  本考案は、冷たい飲料水等を入れたグラス等をテーブルに置いたときにグラスから垂れる水滴でグラスの底やテーブルに水滴を付けないためのコースターを提供する。
【課題を解決するための手段】
【０００６】コースターを構成する上部耐水材と下部耐水材の間に水を吸収する吸収材を挟み三層構造にし、上部耐水材に模様やイラスト、文字等の穴を開け、穴を開けた上部耐水材の上に冷たい飲料水等を入れたグラスを置いたときにグラスから垂れる水滴を模様やイラスト、文字等の穴から吸収材に吸収させる。
【考案の効果】
【０００７】本考案は、冷えた飲料水を入れたグラス等から垂れる水滴を耐水材で挟み込んだ吸収材に、上部の耐水材に開けた穴から吸収させることでグラスの底やテーブルに水滴を付けないコースターの提供ができ、さらに上部耐水材に模様やイラスト等の穴を開けることで美的装飾要素が付加され使用満足感を与えることができ、さらに簡素な構造で低コストにて製品化ができき顧客に提供できる。
【図面の簡単な説明】
【図１】は本考案にかかるコースターの具体的な実施例の１例を示す平面図である。
【図２】前記コースターの実施例の図１平面図・矢視Ａ−Ａ’線に沿う断面図である。
【考案を実施するための形態】
【０００８】以下、本考案の実施形態の一例を図面に基づき詳細に説明する。図１はコースターの平面図で、上部耐水材に水滴を吸水材４に誘導するための模様やイラストの一例であるドットでの花模様の穴３と吸収材４と下部耐水材５である。
【０００９】図２はコースターの実施例の図１平面図・矢視Ａ−Ａ’線に沿う断面図で吸収材４を耐水材１と耐水材５で挟み込み三層で構成し、上部の耐水材に水滴を吸水材４に誘導するための模様やイラストの一例であるドットでの花模様の穴３を設け、グラス等から垂れる水滴を吸水材に吸収させる。
【実施例】
【００１０】本考案はコースターは、冷たい飲料水等を入れたグラス等から垂れる水滴を吸収する吸収材４である紙や不織布や軟質ポリウレタンホーム等を耐水材１と耐水材５で挟み込むが、挟み込む方法と吸収材４及び耐水材１にはビニールやポリプロピレンやマグネット・シートやステンレス等の種類があるが、また本考案は耐水材で吸水材を挟み込む方法及び吸収材の種類、耐水材の種類は限定しないが、例えば吸収剤４の受け皿を耐水材５で設け受け皿の押さえ蓋を耐水材２で設け、受け皿と吸収材と押さえ蓋の三層シートで構成しても良い。【００１１】また、上部の耐水材と吸水材と下部の耐水材の三層を接合し挟み込んでも良く、上部の耐水材のシートに冷えた飲料水から垂れる水滴を吸水材４に誘導するための模様やイラストの穴３を設け、吸収材でグラス等から垂れる水滴を吸収させても良い。【００１２】さらに、透明の耐水材ＰＰ等で吸収材の不織布を模様等の印刷を施し挟み込んで接合しても良い。【００１３】さらに上部耐水材に施す模様の一例であるレース編み模様においてレース編み模様の印刷やレリーフ状の成型を施しレース編み模様の穴の部分の耐水材に穴を開け、冷えた飲料水を入れたグラス等から垂れる水滴をレース編みの模様の穴から吸収材に吸収させても良い。【００１４】さらに、上部耐水材の下に水を吸収する吸収剤、吸収材の下に下部耐水材の三層構造にて構成するコースターであるが、上部耐水材及び下部耐水材を耐水性のあるインクやビニールやニス等で吸収材の裏表に印刷しても良く、吸収材の上部に印刷を施した上に冷たい飲料水等を入れたグラス等から垂れる水滴を吸収材させるために吸収材の上に印刷する模様を通して吸収材に水滴を吸収させるための穴に相当する模様を施し印刷しても良い。
【符号の説明】１  コースター
２  上部耐水材
３  ドットの花模様の穴
４  水を吸収する吸収材
５  下部耐水材
【図１】
0003194630.tif 000003
【図２】
0003194630.tif 000004
(57)【要約】      （修正有）【課題】電子レンジで加熱するレンジ加熱麺において、ゼラチンスープが溶けてスープの中に麺が入ると麺の温度が下がり、その後温度が再上昇しても、麺のα化が不十分となることを無くしたレンジ加熱麺およびレンジ加熱麺の容器を提供する。【解決手段】レンジ加熱麺の容器本体１に複数の小孔７を設けた中蓋３を入れ、この中蓋の上部にゼラチンスープ８を、下方に茹で麺９を入れることにより、加熱されて溶けたゼラチンスープが中蓋の小孔を介して下方の加熱されている茹で麺の中に流入するようにした。これにより、加熱の中間時に麺の温度が下がることがなく、麺のα化が充分となるため、より理想に近い麺の食感が得られる。【選択図】図１
0003194665.tif 000002
【実用新案登録請求の範囲】
【請求項１】
容器本体１に複数の小孔７を設けた中蓋３を入れ、その中蓋の上部にゼラチンスープを、下方に茹で麺を入れたレンジ加熱麺。
【請求項２】
容器本体１と、複数の小孔７を設けた中蓋３とからなるレンジ加熱麺の容器。
【請求項３】
中蓋３に複数の凸部６を設け、その中に小孔７を開けた請求項２記載のレンジ加熱麺の容器。
【考案の詳細な説明】
【技術分野】
【０００１】
この考案は電子レンジで加熱して食するレンジ加熱麺及びその容器に関するものである。
【背景技術】
【０００２】
温かいつゆそば、うどん、ラーメン（めん）のあるべき調理法は、打ちたての生めんを沸騰した湯に投入し、湯の中でしっかりとα化し、適正時間で茹で上げ、スープに投入するものである。
【０００３】
これに対し、電子レンジで加熱する現状のレンジ加熱麺は、容器の下方にゼラチンで固めたゼラチンスープを入れ、その上にプラスチックのシートを介して茹で麺を置き、これを電子レンジで加熱している。また、ゼラチンスープと麺が上下逆のパターンもある。
【考案の開示】
【考案が解決しようとする課題】
【０００４】
しかしながら、上記した現状のレンジ加熱麺は、加熱開始時は麺が高温となるが、ゼラチンスープが溶けてスープの中に麺が入ると温度が下がり、その後温度が再上昇しても、麺のα化が不十分となる欠点があり、前記した麺のあるべき状態に近づくことができない。
【０００５】
この考案は、改良した容器と、その容器を使用したレンジ加熱麺とを提供して、前記した問題を解決しようとするものである。
【課題を解決するための手段】
【０００６】
この考案は容器本体に複数の小孔を設けた中蓋を入れ、この中蓋の上部にゼラチンスープを、下方に茹で麺を入れることにより、電子レンジで加熱した場合に麺の温度が低下することを防いでいる。
【０００７】
また、この考案の中蓋の小孔は、その周囲が上方に膨出した凸部に設けられていることにより中蓋の下方の麺が小孔を塞ぎゼラチンスープへの下方への流入を妨げることがない。
【考案を実施するための最良の形態】
【０００８】
図１はこの考案の容器に茹で麺、ゼラチンスープを入れた状態の断面図、図２は中蓋の平面図である。
【０００９】
１は容器本体で、プラスチックで成形した通常の丼の形状であり、中間に中蓋が係止される段部２がある。３は中蓋であり、前記段部２に係止される立上り部４と皿状部５から成り、皿状部５には凸部６を設け、その凸部の中に小孔７が設けられている。この凸部及び小孔は皿状部５の中央および周囲に設けられるが、その位置及び数は限定されない。８はゼラチンスープ、９は茹で麺である。なお１０は上蓋であり、調味料などの収容部である。
【００１０】
この考案のレンジ加熱麺は、加熱開始後にゼラチンスープが溶け中蓋の小孔を介して下方の加熱されている茹で麺の中に徐々に流入するので、加熱の中間時に麺の温度が下がることがなく、麺のα化が充分となり、従来のものに比して、温かいつゆそば、うどん、ラーメン（めん）のあるべき調理法に近づくことができるものである。
【図面の簡単な説明】
【００１１】
【図１】本考案のレンジ加熱麺の断面図
【図２】中蓋の平面図
【符号の説明】
【００１２】
１  容器本体
２  段部
３  中蓋
５  皿状部
６  凸部
７  小孔
８  ゼラチンスープ
９  茹で麺
１０  上蓋
【図１】
0003194665.tif 000003
【図２】
0003194665.tif 000004
(57)【要約】      （修正有）【課題】床面にプランターを据えるのではなく、ガラス面に直接に植物プランターを接着することができ、容易にガラス面の任意の位置に展示することを可能とした植物プランターを提供する。【解決手段】植物プランターに吸盤を取り付けることによって、植物プランターをガラス面に接着することが可能となる。【選択図】図１
0003194615.tif 000002
【実用新案登録請求の範囲】
【請求項１】
屋内の快適性増進のために、外光が取り入れられる窓などの開口部において、室内からの植物鑑賞を容易にするために、プランター部に吸盤を取り付けることによって、ガラス戸や窓部のガラス面への任意の位置で容易に接着が可能となることを特徴とする植物プランター。
【考案の詳細な説明】
【技術分野】
【０００１】
本考案は、ガラス面に接着が可能な植物プランターに関するものである。
【背景技術】
【０００２】
屋内に展示する植物は、一般にプランターか鉢に植えられるか、あるいは、「釣りしのぶ」のように吊り下げられた鉢に植えられて展示される。  
【０００３】
屋内に植物を展示する場合に、特に窓辺に置かれた植物は、外部からの光を通して見える植物の葉が視覚的に心地よく、この視覚効果が屋内温熱環境をより涼しく感じさせたり、より快適に感じさせるということを実証した既往研究がある。しかしながら、屋内のガラス戸内側の床面にプランターを設置した場合には、植物の葉が人の視線上にかからないという不具合が生じる。
【０００４】
また、植物プランターを上部から吊るすという方法も考えられるが、この場合には、吊るすためのフックを取り付ける必要があるし、吊り下げられたとしても、植物プランター自体がガラス面に衝突する危険性が生じる。
【０００５】
この改善策として、植物プランターを直接ガラス面に接着する方法が考えられる。こうすることによって設置した位置で植物プランターを鑑賞することができる。  
【先行技術文献】
【非特許文献】
【０００６】
【非特許文献１】「緑のカーテンの有無が人体の心理反応に及ぼす影響」（加藤真司・桑沢保夫・石井儀光・樋野公宏・橋本剛・小木曽裕・持田太樹）日本緑化工学会誌Vol.39 No.1,3-8２０１３年
【考案の概要】
【考案が解決しようとする課題】
【０００７】
解決しようとする問題点は、吊るす以外には、植物のプランターが人の目の高さ（立位、座位とも）に展示することができない点である。
【課題を解決するための手段】
【０００８】
本考案は、屋内にてガラス戸や窓部に人の目の高さで植物プランターを設置するため、植物プランターを直接ガラス面に接着できることを主要な特徴とする。
【考案の効果】
【０００９】
本考案の植物プランターは、ガラス戸や窓のガラス面に直接接着させることができるので、屋内から外からの外光を通して容易に植物を鑑賞でき、かつ設置のためのフックなどの付帯物を要しないという利点がある。
【図面の簡単な説明】
【００１０】
【図１】図１は、ガラス面に接着可能な箱型植物プランターの構造を示した説明図である。
【図２】図２は、ガラス面に接着が可能な円筒型植物プランターの構造を示した説明図である。
【考案を実施するための形態】
【００１１】
ガラス面に植物プランターを直接設置するという目的を、植物プランターに吸盤を取り付けることにより実現した。
【実施例】
【００１２】
図１は、本考案による植物プランターの１実施例の構造図である。また、図２の実施例は、円筒型のケースにロックウールにて植物の根茎を支持したものに吸盤を取り付けたものである。
【００１３】
実施例のように、異なる形態の植物プランターであっても、吸盤を取り付けることによって、ガラス面に直接植物プランターを設置することが可能となった。
【００１４】
ガラス面に任意の位置で容易に植物プランターを設置することが可能となり、屋内から容易にかつ外光越しに植物鑑賞が可能となり、屋内の快適性が増す効果がある。
【産業上の利用可能性】
【００１５】
ガラス面に直接接着可能な植物プランターが普及することによって、植物の展示空間が拡がるとともに、屋内の快適性の向上につながることになる。
【図１】
0003194615.tif 000003
【図２】
0003194615.tif 000004